(57)【要約】      （修正有）【課題】必要とする量の美味しい米穀を如何なる時間でも気軽に購入でき、シェイクすることで米穀を傷付けず、手も濡らさずに誰でも簡単に米穀を磨ぐことができるボトル型米容器を提供する。【解決手段】必要とする所定量の米穀Ｐを収容し、磨ぎ水を入れてシェイクによる洗米を可能としたボトル型容器１と、該ボトル型容器１の開口部に着脱可能で、米穀Ｐをボトル容器１内に残置させたままで磨ぎ水を排水させる排水部４を頂部に有する蓋２とを備える。蓋２の排水部４には、当該排水部４を閉塞する排水閉塞体５を取り外し可能に装着する。また、ボトル型容器１には、シェイク洗米後の米穀Ｐの炊飯に必要な炊飯水の分量を計る水量目盛線３を表示する。【選択図】図１
0003153168.tif 000002
【実用新案登録請求の範囲】
【請求項１】
必要とする所定量の米穀が収容され、磨ぎ水を入れてシェイクによる洗米を可能としたボトル型容器と、該ボトル型容器の開口部に着脱可能で、米穀をボトル容器内に残置させたままで磨ぎ水を排水させる排水部を頂部に有する蓋とを備えたことを特徴とするボトル型米容器。
【請求項２】
蓋の排水部には、当該排水部を閉塞する排水閉塞体が取り外し可能に装着されている請求項１記載のボトル型米容器。
【請求項３】
ボトル型容器には、シェイク洗米後の米穀の炊飯に必要な炊飯水の分量を計る水量目盛線が表示されている請求項１または２記載のボトル型米容器。
【請求項４】
必要とする所定量の米穀が収容され、磨ぎ水を入れてシェイクによる洗米を可能としたボトル型容器と、該ボトル型容器の開口部に着脱可能で、米穀をボトル容器内に残置させたままで磨ぎ水を排水させる排水部を頂部に有する蓋とを備え、蓋の排水部には、当該排水部を閉塞する排水閉塞体が取り外し可能に装着され、ボトル型容器には、シェイク洗米後の米穀の炊飯に必要な炊飯水の分量を計る水量目盛線が表示されていることを特徴とするボトル型米容器。
【考案の詳細な説明】
【技術分野】
【０００１】  本考案は、所定量の米穀を収容して例えば２４時間営業のコンビニエンスストア等で販売できるようにすると共に、シェイク洗米によって米穀を磨ぐことができ、また炊飯時の水量を簡単に計量できるボトル型米容器に関する。
【背景技術】
【０００２】  従来から米穀を購入するとき、殆どの消費者は５ｋｇまたは１０ｋｇの量で収容してある大きな袋で購入している。このような大きな袋で一度に購入した米穀を全て消費するには月日が掛かり、特に一人暮らしの人にとっては、約５ｋｇの米穀を食べ終わる頃は、米穀の本来の味が完全に無くなっている。すなわち、米穀はいわば生きたものであるから、味は日々変化し、その美味しさは次第に低下して行くものである。【０００３】  また、従来では、殆どの家庭において、米穀は米袋に入れたまま保存するか、もしくは米びつ等に入れて常温で保存するか等しているが、上記のように生の米穀自体は生きたものであるから、肉や魚と同じように常温で保存しておくと味や品質が次第に低下してゆく。そこで、米穀を例えば平板状の蓋で密封できるようにした箱形の密閉式容器に収容して例えば冷蔵庫内で保管することで、害虫や乾燥等から米穀を保護することができ、これによって常温で約３ヶ月程度まで生の米穀の美味しさを常に保っておくことができる。しかし、このような箱形の密閉式容器等ではその容量が大きいため、冷蔵庫内でのスペースを多く取り過ぎてしまう。このため、米穀の必要な量を完全密封状態にして、冷蔵庫内で邪魔にならないスペースで保管できるようにする必要がある。【０００４】  一方、常温でも長期間の保存が可能で、必要な量の米穀を完全密封状態で、冷蔵庫内で邪魔にならないスペースで保管できるようにすると同時に、例えば２４時間営業のコンビニエンスストア等で、美味しい米穀を気軽に購入できるような米容器がいくつか存在する。このような米容器により、米穀を小分量で品種分けして販売し、その日の気分で食べたい品種を食べたい分だけ購入できるようにしている。さらに近年では、人気のある十穀米・赤米・古代米さらには赤飯といった米穀も必要な分だけ手軽に購入できるようになっている。【０００５】  このような販売用の米穀容器としては、例えば、特許文献１に開示されているように、米穀を所定量で収容できて運搬や陳列が容易になるようにし、そのまま保管する上でも便利であり、購買者は他の容器に移し変えることなく、購入時の容器のままで計量カップの目盛に従って計量でき、さらに、容器内の米穀の残量を確認できるようにした米の販売用ペットボトルが存在する。すなわち、この販売用ペットボトルは、ポリエチレンテレフタレート製の内部が見えるボトルであって、その中に収容した米穀の量を確認できるようボトル自体に目盛を付し、且つ蓋体を着脱自在に取り付け、さらに蓋体およびボトル上部に計量カップを着脱自在に被着して構成されている。【０００６】  また、他の販売用の米穀容器としては、特許文献２に開示されているように、紫外線吸収剤が添加されているペットボトルに生の米穀または洗浄処理済の米穀を充填したペットボトル入り米なるものが存在する。【０００７】  さらに、他の販売用の米穀容器としては、特許文献３に開示されているように、米穀と水の適正比率を、誰にでも簡便に決められるようにするために、予めカップ状の容器内に収容されている米穀と、この容器の容量一杯の水とで、炊飯時の水加減を最適に設定できるようにした容器入り米が存在する。
【先行技術文献】
【特許文献】
【０００８】
【特許文献１】  登録実用新案第３０５０１３３号公報
【特許文献２】  特許第３６４７１３７号公報
【特許文献３】  登録実用新案第３０８３４８１号公報
【考案の概要】
【考案が解決しようとする課題】
【０００９】  ところで、現代の米穀は精米の技術が発達しているため、米穀を激しく磨いでしまうと傷付いて味が落ちてしまうことがある。例えば、ネイルアートを施している女性にとって、そのまま素手で磨ぎ作業を行うと米穀が過多に傷付いてしまい、味が低下するばかりでなく非衛生的でもある。また、米磨ぎが面倒で、そのための時間がない人も多く、しかも老人にあってはこのような米磨ぎ作業は立ったままの姿勢で、手で掻き回すから腰痛の原因ともなる。さらに、寒い冬期では水が冷たいため、米穀の磨ぎ作業によって手荒れがひどくなることもある。【００１０】  このような事情から提案されている特許文献１におけるペットボトルであっても、これらに満杯状となって充填されている米穀を計量カップにより必要な分だけを例えばボウル容器等に取り出してから水を入れて手で洗う必要があり、上記したような諸々の問題点を解決することができない。【００１１】  また、特許文献２におけるペットボトルでは、ペットボトルに生の米穀である所謂精米、または磨いだ後の米穀が充填されているが、このペットボトル内に生の米穀が入っている場合では、この米穀を例えばボウル容器等に取り出してから水を入れて手で洗う必要があり、特許文献１の場合と同様に、上記したような諸々の問題点は解決できない。【００１２】  特許文献３におけるカップ状の容器は、米穀と水との適正比率を決められるようにするために使われるのであって、このような容器内には磨いだ後の米穀を収容する必要がある。しかし、この容器内に生の米穀が入っている場合では、米穀を例えばボウル容器等に取り出してから水を入れて手で洗う必要があり、面倒であることに変わりはない。【００１３】  そこで、本考案は叙上のような従来存した諸事情に鑑み創案されたもので、例えば２４時間営業のコンビニエンスストア等で、必要とする美味しい米穀を、それが少量であっても如何なる時間において気軽に購入でき、しかもシェイクすることで米穀を傷付けず、手も濡らさずに誰でも簡単に米穀を磨ぐことができ、さらに購入後には常温でも長期間の保存が可能で、必要な量の米穀を完全密封状態で、冷蔵庫内で邪魔にならないスペースで保管できるようにしたボトル型米容器を提供することを目的とする。
【課題を解決するための手段】
【００１４】  上述した課題を解決するために、本考案にあっては、必要とする所定量の米穀Ｐが収容され、磨ぎ水Ｑ１を入れてシェイクによる洗米を可能としたボトル型容器１と、該ボトル型容器１の開口部に着脱可能で、米穀Ｐをボトル容器１内に残置させたままで磨ぎ水Ｑ１を排水させる排水部４を頂部に有する蓋２とを備えたものである。
また、蓋２の排水部４には、当該排水部４を閉塞する排水閉塞体５が取り外し可能に装着されているものとできる。
さらに、ボトル型容器１には、シェイク洗米後の米穀Ｐの炊飯に必要な炊飯水Ｑ２の分量を計る水量目盛線３が表示されているものとできる。【００１５】  以上のように構成された本考案に係るボトル型米容器にあって、ボトル型容器１は、磨ぎ水Ｑ１を入れてから手に持ってシェイクすることで、収容されている所定量の米穀Ｐを磨ぎ、洗浄させる。
蓋２の排水部４は、当該蓋２をしたままの状態で、ボトル容器１内に米穀Ｐを残置させたままでシェイク洗米後の磨ぎ水Ｑ１のみをボトル型容器１から排出させる。
排水部４を閉塞する排水閉塞体５は、シェイク洗米中でのボトル型容器１内の磨ぎ水Ｑ１の飛出を阻止させ、シェイク洗米後には排水閉塞体５を取り外して排水部４を露出させることで、当該排水部４からボトル型容器１内の磨ぎ水Ｑを外部に排出させる。
ボトル型容器１に表示されている水量目盛線３は、シェイク洗米後の米穀Ｐの炊飯に必要な分量の炊飯水Ｑ２を計量供給させる。
【考案の効果】
【００１６】  本考案によれば、例えば２４時間営業のコンビニエンスストア等で、必要とする美味しい米穀Ｐを、それが少量であっても如何なる時間において気軽に購入でき、しかもシェイクすることで米穀Ｐを傷付けず、手も濡らさずに誰でも簡単に米穀Ｐを磨ぐことができる。さらに、購入後には常温でも長期間の保存が可能で、必要な量の米穀Ｐを完全密封状態で、冷蔵庫内でも邪魔にならないスペースで保管できる。【００１７】  すなわち、これは本考案が、必要とする所定量の米穀Ｐが収容され、磨ぎ水Ｑ１を入れてシェイクによる洗米を可能としたボトル型容器１と、該ボトル型容器１の開口部に着脱可能で、米穀Ｐをボトル容器１内に残置させたままで磨ぎ水Ｑ１を排水させる排水部４を頂部に有する蓋２とを備えたからであり、これにより、シェイクすることで米穀Ｐを傷付けず、手も濡らさずに誰でも簡単に米穀Ｐを磨ぐことができる。【００１８】  また、蓋２の排水部４には、当該排水部４を閉塞する排水閉塞体５が取り外し可能に装着されているので、この排水閉塞体５を蓋２から取り外して排水部４を開放することによって蓋２をしたままの状態で、米穀Ｐを排出させずに、シェイク洗米後の磨ぎ水Ｑ１だけをボトル型容器１から容易に排出させることができる。【００１９】  さらに、ボトル型容器１には、シェイク洗米後の米穀Ｐの炊飯に必要な炊飯水Ｑ２の分量を計る水量目盛線３が表示されているので、シェイク洗米後の米穀Ｐを炊飯する際の必要な分量の炊飯水Ｑ２を容易に計量供給することができ、美味しい御飯を炊くことができる。【００２０】  このようなボトル型米容器とすることで、例えば１食分に相当する１合（０．１８リットル）あるいは２合（０．３６リットル）分に相当する必要な量として小分けして販売可能となり、例えば２４時間営業のコンビニエンスストア等で、必要とする美味しい米穀Ｐを、それが少量であっても如何なる時間において気軽に購入することができる。しかも、購入後には常温でも長期間の保存が可能で、必要な量の米穀Ｐを完全密封状態として、例えば冷蔵庫内に邪魔にならないスペースで保管することができる。【００２１】  尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００２２】
【図１】  本考案を実施するための一形態を示す一部切欠斜視図である。
【図２】  同じく縦断面図である。
【図３】  同じく使用手順を説明するもので、その（ａ）は磨ぎ水をボトル型容器に入れている状態の斜視図、（ｂ）は蓋を閉めて磨ぎ水でシェイク洗米している状態の斜視図、（ｃ）は蓋の排水部からシェイク洗米後の磨ぎ水を排出している状態の斜視図、（ｄ）は蓋を開けてシェイク洗米後の米穀を取り出している状態の斜視図、（ｅ）はシェイク洗米後の米穀の炊飯時に必要な炊飯水の分量をボトル型容器で量っている状態の斜視図、（ｆ）はこの炊飯水を炊飯器等に注水している状態の斜視図である。
【考案を実施するための形態】
【００２３】  以下、図面を参照して本考案の実施の形態を詳細に説明すると、図において示される符号１は、例えばペットボトル・ポリプロピレンボトル等のプラスチック製から成るボトル型容器である。このボトル型容器１は、図１または図２に示すように、例えば円形もしくは角形等の有底筒部１ａと、有底筒部１ａから次第に縮径された状態となって形成されたネック部１ｂと、ネック部１ｂ先端に形成され、外周にネジ溝１ｄを有する開口部１ｃとによって形成されている。
【００２４】  このボトル型容器１には、１回の食事に必要とする所定量である例えば１食分としての１合すなわち０．１８リットルあるいは２００グラム程度の米穀Ｐが収容されており、この開口部１ｃのネジ溝１ｄにねじ込ませるネジ式の蓋２によって密封状態で閉蓋されている。もとよりボトル型容器１には米穀Ｐがほぼ正確に例えば０．１８リットルあるいは２００グラム程度で入っているため、炊飯時においては米穀Ｐの分量を予め計る必要がない。尚、収容される米穀Ｐ量はこれに限定されないことは勿論である。
【００２５】  そして、蓋２を開けてボトル型容器１に所定量の磨ぎ水Ｑ１を入れ、蓋２を閉蓋してから手で持って軽くシェイクすることによりボトル型容器１内の米穀Ｐが互いに傷付かずに洗浄できるようにしてある。また、蓋２によって密封状態に閉蓋されているボトル型容器１は、美味しい米穀Ｐを如何なる時間でも気軽に購入できる例えば２４時間営業のコンビニエンスストア等の店に陳列販売されると共に、購入後においては冷蔵庫内等で長期間保存できるようになっている。
【００２６】  尚、ボトル型容器１に無洗米を入れれば、シェイク洗米する必要がないが、生きた米穀Ｐの本来の美味しさを維持しておくためには、無洗米でなく生の米穀Ｐである精米を収容するものとしてある。また、必要があれば、ボトル型容器１内は真空状にして収容した米穀Ｐの鮮度を一層維持できるようにすることも可能である。
【００２７】  蓋２の頂部平面には、米穀Ｐの粒の大きさよりも小さな複数の水出し孔、あるいは同様に米穀Ｐの粒の大きさよりも小さな網目を有するネットによる排水部４が開穿形成されている。該排水部４は、米穀Ｐをボトル容器１内に残置させたままで磨ぎ水Ｑ１のみを排水させるのであり、孔構造、ネット網目構造に限定されない。
【００２８】  また、排水部４には、該排水部４を閉塞する排水閉塞体５が取り外し可能に装着されている。この排水閉塞体５は、例えば図示のように、蓋２に剥離可能にして貼着される閉塞シールのものとするも、これに限定されず、例えば蓋２自体を二重蓋構造とする等によっても可能である。
【００２９】  こうして、排水部４を排水閉塞体５によって閉塞しておくことで、シェイク洗米中においては、ボトル型容器１内の磨ぎ水Ｑ１の飛出が阻止される（図３（ｂ）参照）と同時に、シェイク洗米後においては、排水閉塞体５を取り外すことによって蓋２をしたままの状態で、米穀Ｐを排出させずにシェイク洗米後の磨ぎ水Ｑ１をボトル型容器１から外部に排出できるようにしている（図３（ｃ）参照）。
【００３０】  また、ボトル型容器１の所定高さ位置には水量目盛線３が表示されており、シェイク洗米後の米穀Ｐの炊飯時に必要な分量となる炊飯水Ｑ２がこのボトル型容器１を使って正確に計れるようにしてある（図３（ｅ）参照）。すなわち、この水量目盛線３は、ボトル型容器１に収容してある米穀Ｐを炊飯するに必要な炊飯水Ｑ２の分量に対応しており、米穀Ｐを排出後のボトル型容器１内に炊飯水Ｑ２を注入することで、対応する必要量を計量できるのである。
【００３１】  さらに、ボトル型容器１の背面側等には、消費者に対する安心安全のために、生産地や銘柄・品種と共に、生産者の顔等を印刷した表示ラベル６が貼着されている。
【００３２】  次に、以上のように構成された形態についての使用の一例について説明すると、先ず、図３（ａ）に示すように、ボトル型容器１から蓋２を取り外して開封し、磨ぎ水Ｑ１を入れて蓋２を閉め直してから、図３（ｂ）に示すように、ボトル型容器１を手で持って例えば約２０秒間だけ上下方向にシェイクする。このようなシェイク洗米作業は、米穀Ｐをシェイクによって水泡状となった磨ぎ水Ｑ１で洗うことにより、米穀Ｐを傷付けず、手も濡らさずに誰でも簡単に米穀Ｐを磨ぐことができる。このように、シェイクすることで水泡状となる磨き水Ｑ１とすることで、米穀Ｐの粒同士の表面を直接に強く摺り合わせることなく磨ぐことができ、米穀Ｐ本来の美味しさを減じることがない。
【００３３】  シェイク洗米後、図３（ｃ）に示すように、蓋２の上に装着してある閉塞シールの如き排水閉塞体５を引き剥がすこと等で取り外して排水部４を開放させ、該排水部４からボトル型容器１内のシェイク洗米後の磨ぎ水Ｑ１を流し台等に捨てる。
【００３４】  その後、図３（ｄ）に示すように、ボトル型容器１から蓋２を外してシェイク後の米穀Ｐをボトル型容器１から取り出し、例えば電子ジャーや炊飯鍋等の炊飯器７に入れる。そして、図３（ｅ）に示すように、ボトル型容器１に表示されている水量目盛線３の位置まで炊飯水Ｑ２をボトル型容器１内に入れて計量し、図３（ｆ）に示すように、この炊飯水Ｑ２を炊飯器７に注水、入れて米穀Ｐの炊飯を行う。
【００３５】  尚、ボトル型容器１からシェイク後の米穀Ｐを取り出さずに、このままボトル型容器１内に所定量の炊飯水Ｑ２を入れてから、例えば電子レンジ等で炊飯しても良い。
【００３６】  こうして、シェイク洗米後の米穀Ｐを炊くのに必要な炊飯水Ｑ２の分量を、ボトル型容器１自体によって容易且つ正確に計量供給することができ、美味しい御飯を炊くことができる。
【符号の説明】
【００３７】Ｐ…米穀（精米）                        Ｑ１…磨ぎ水
Ｑ２…炊飯水
１…ボトル型容器                        １ａ…有底筒部
１ｂ…ネック部                          １ｃ…開口部
１ｄ…ネジ溝                            ２…蓋
３…水量目盛線                          ４…排水部
５…排水閉塞体                          ６…表示ラベル
７…炊飯器
【図１】
0003153168.tif 000003
【図２】
0003153168.tif 000004
【図３】
0003153168.tif 000005